(57)【要約】【課題】簡単かつ低コストな構成で、製造するための材料費を多く必要とせず、ファイル後のクリップ跡も残らない、簡易なファイル部材を提供する。【解決手段】書類等被ファイリング材のコーナー部に嵌装され、同書類等被ファイリング材をファイルするファイル部材を、上記書類等被ファイリング材コーナー部の表裏両面を挟む相互に連続した表裏一対のカバー部材よりなるものとした。  このような構成の場合、相互に連続した表裏一対のカバー部材を書類等被ファイリング材の例えば右肩部等コーナー部に嵌装し、上記表裏一対の帯状のカバー部材で、当該書類等被ファイリング材のコーナー部をバインディングするだけの極めて簡単な操作により、何ら書類等被ファイリング材の表面を傷付けることなく、書類等被ファイリング材を一体に保持することができるようになる。【選択図】        図１
2012171156.tif 000002
【特許請求の範囲】
【請求項１】
書類等被ファイリング材のコーナー部に嵌装され、同書類等被ファイリング材をファイルするファイル部材であって、上記書類等被ファイリング材コーナー部の表裏両面を挟む相互に連続した表裏一対のカバー部材よりなることを特徴とするファイル部材。
【請求項２】
表裏一対のカバー部材間端部には、書類等被ファイリング材の間に嵌挿されて挟まれる中間部材が設けられていることを特徴とする請求項１記載のファイル部材。
【請求項３】
表側カバー部材と裏側カバー部材は、その相互の幅が、部分的に又は全体に亘って異っていることを特徴とする請求項１又は２記載のファイル部材。
【請求項４】
表側カバー部材には、名刺等係止用の係止部が設けられていることを特徴とする請求項１，２又は３記載のファイル部材。
【発明の詳細な説明】
【技術分野】
【０００１】
この出願の発明は、書類等複数枚の被ファイリング材のコーナー部を挟んでファイルするファイル部材の構成に関するものである。
【背景技術】
【０００２】
従来、複数枚の書類を一体にファイルするには、バネ機構を用いた金具部材である各種のバインダー式のクリップが多く使用されている（例えば特許文献１を参照）。
【０００３】
また、線条部材を曲成して構成したゼムクリップなどの安価なものもある。
【０００４】
さらに、最近では、クリアファイルと呼ばれるジャケット型のものも多く使用されている。
【先行技術文献】
【特許文献】
【０００５】
【特許文献１】特開平１０−１９３８５６号公報
【発明の概要】
【発明が解決しようとする課題】
【０００６】
しかし、上記バインダー式のクリップの場合には、バネ機構を用いた金具部材であるため、クリップされた書類の一部が変形し、クリップ跡が残る欠点がある。また、事務用品として比較的コストも高い。
【０００７】
また、ゼムクリップの場合には、安価ではあるが、やはりクリップ跡が残るし、枚数が多くなるとクリップしにくくなる欠点がある。
【０００８】
さらに、クリアファイル等ジャケット型のファイルの場合には、書類等被ファイリング材の全体を覆うものであるため、それなりに材料費が嵩む問題がある。またファイルする厚さが厚くなると、保持される書類がズレた状態となってしまう欠点がある。
【０００９】
本願発明は、このような事情に基いてなされたもので、簡単かつ低コストな構成で、製造するための材料費を多く必要とせず、しかもファイル後のクリップ跡も残らない簡易なファイル部材を提供することを目的とするものである。
【課題を解決するための手段】
【００１０】
この出願の発明は、上記の目的達成するために、次のような課題解決手段を備えて構成されている。
【００１１】
（１）  請求項１の発明
この発明の課題解決手段は、書類等被ファイリング材のコーナー部に嵌装され、同書類等被ファイリング材をファイルするファイル部材であって、上記書類等被ファイリング材コーナー部の表裏両面を挟む相互に連続した表裏一対のカバー部材よりなることを特徴としている。
【００１２】
このような構成の場合、相互に連続した表裏一対のカバー部材を、書類等被ファイリング材の例えば右肩部等コーナー部に嵌装し、表裏一対のカバー部材で、当該書類等被ファイリング材のコーナー部をバインディングするだけの極めて簡単な操作により、何ら書類等被ファイリング材の表面を傷付けることなく、書類等被ファイリング材を一体に保持することができる。
【００１３】
しかも、当該ファイル部材は、書類等被ファイリング材のコーナー部に嵌装され、同書類等被ファイリング材コーナー部の表裏両面を挟む相互に連続した表裏一対のカバー部材よりなるだけのものであることから、材料費はもちろん、製造に要するコストも極めて安価であり、量産も容易である。
【００１４】
そして、各カバー部材両端の連結部を、ファイルすべき被ファイリング材の厚さに合わせて２本の折り目を入れて織り込めば、被ファイリング材が厚くても確実に安定した状態に保持することができる。
【００１５】
（２）  請求項２の発明
請求項２の発明の課題解決手段は、上記請求項１の発明の課題解決手段の構成において、表裏一対のカバー部材間端部には、書類等被ファイリング材の間に嵌挿されて挟まれる中間部材が設けられていることを特徴としている。
【００１６】
このように、表裏一対のカバー部材間端部に、書類等被ファイリング材の間に嵌挿されて挟まれる中間部材が設けられていると、上記ファイルリング後に、当該中間部材が書類等被ファイリング材の間に挟まれて強く圧接され、ファイル部材が書類等被ファイリング材から離れにくくなり、より安定したファイル状態を維持することができるようになる。
【００１７】
（３）  請求項３の発明
請求項３の発明の課題解決手段は、上記請求項１又は２の発明の課題解決手段の構成において、表側カバー部材と裏側カバー部材は、その相互の幅が、部分的に又は全体に亘って異なっていることを特徴としている。
【００１８】
上記請求項１又は２の発明のように構成した場合、表側カバー部材と裏側カバー部材の幅が全体に亘って同一であると、両部材が重なって広げる時に捲りにくい。
【００１９】
ところが、それらの内の何れか一方側の幅が、部分的に又は全体に亘って他方側のものよりも大きく形成されるか、または逆に小さく形成されるなどして、相互に異っていると、相互に重ならない部分ができるので、捲りやすくなり、表裏カバー部材間を広げて、書類等被ファイリング材の右肩部等コーナー部に嵌装するのが容易になる。
【００２０】
（４）  請求項４の発明
請求項４の発明の課題解決手段は、上記請求項１，２又は３の発明の課題解決手段の構成において、表側カバー部材には、名刺等係止用の係止部が設けられていることを特徴としている。
【００２１】
一般に、或る会社から或る会社に書類（例えば見積り書など）を届ける場合、クリップ等で止められた書類上に、担当者の名刺等を添付して届けることが多い。
【００２２】
そこで、上記請求項１，２又は３の発明の構成のファイル部材の場合にも、上記のように表側カバー部材に、名刺等係止用の係止部を設けると、そのようなニーズに適切に対応することができる。
【発明の効果】
【００２３】
以上の結果、本願発明によると、簡単かつ低コストな構成で、書類等を傷付けることのない便利なファイル部材を提供することができる。
【図面の簡単な説明】
【００２４】
【図１】本願発明の第１の実施の形態に係るファイル部材の使用状態における平面図である。
【図２】同ファイル部材のみの少し開いた状態の斜視図である。
【図３】同ファイル部材の使用状態における断面図（図１のＡ−Ａ）である。
【図４】同ファイル部材の両端側の折り目部を２本とし、書類等被ファイリング材の厚さに対応できるようにした場合の要部の構成を示す斜視図である。
【図５】本願発明の第２の実施の形態に係るファイル部材の第１のタイプの構成を示す斜視図である。
【図６】同ファイル部材の第２のタイプの１つの構成を示す斜視図である。
【図７】同ファイル部材の第２のタイプの他の１つの構成を示す斜視図である。
【図８】本願発明の第３の実施の形態に係るファイル部材の構成を示す斜視図である。
【図９】本願発明の第４の実施の形態に係るファイル部材の第１のタイプの構成を示す平面図である。
【図１０】同本願発明の第４の実施の形態に係るファイル部材の第２のタイプの構成を示す平面図である。
【図１１】同本願発明の第４の実施の形態に係るファイル部材の第３のタイプの構成を示す平面図である。
【図１２】本願発明の第５の実施の形態に係るファイル部材の構成を示す斜視図である。
【発明を実施するための形態】
【００２５】
以下、添付の図面を参照して、本願発明のファイル部材を実施するためのいくつかの具体的な実施の形態について説明する。
【００２６】
（第１の実施の形態）
先ず、図１〜図４は、本願発明の第１の実施の形態に係るファイル部材の構成を示している。
【００２７】
この実施の形態のファイル部材１は、図１に示すように、書類等被ファイリング材２のコーナー部２ａ部分に襷状に嵌装され、同書類等被ファイリング材２をファイルするファイル部材であって、図２、図３に示すように、上記書類等被ファイリング材２のコーナー部２ａの表裏両面を挟む相互に連続した表裏一対の帯状のカバー部材１Ａ，１Ｂよりなっている。
【００２８】
表裏一対の帯状のカバー部材１Ａ，１Ｂは、所望の幅Ｗ１，Ｗ２を有し、その左右両端Ｌ，Ｒ側部分には、表裏一対の帯状のカバー部材１Ａ，１Ｂが相互に挟圧力を保って重合されるように、相互に９０°の角度で直交する１本のシャープな折り目Ｃが形成されている。
【００２９】
そして、同ファイル部材１は、図１に示すよにう、例えば上記表裏一対の帯状のカバー部材１Ａ，１Ｂの左側端部Ｌ部分が書類等被ファイリング材２の上辺Ｕの左右方向中央部から左半分寄り部分、右側端部Ｒ部分が側辺Ｓの上下方向中央部分に位置するような状態で、書類等被ファイリング材２に嵌装される。
【００３０】
また、以上の場合において、上記表裏一対の帯状のカバー部材１Ａ，１Ｂの何れか一方又は両方の内側面の一部には、例えば「付箋」などに使用されている剥離自在な粘着剤を必要に応じて塗布して置く。
【００３１】
このような構成の場合、同図１のように、上記相互に連続した表裏一対の帯状のカバー部材１Ａ，１Ｂを書類等被ファイリング材２の例えば右肩部等コーナー部２ａに嵌装し、図３のように、表裏一対の帯状のカバー部材１Ａ，１Ｂで、当該書類等被ファイリング材２のコーナー部２ａをバインディングするだけの極めて簡単な操作により、クリップのように書類等被ファイリング材２の表面を傷付けることなく、同書類等被ファイリング材２をクリップと略同様に安定して一体に保持することができる。
【００３２】
この場合において、上記表裏一対の帯状のカバー部材１Ａ，１Ｂの何れか一方又は両方の内側に、上述のような粘着剤が塗布されていると、ファイリング時にファイル部材１が粘着剤によって確実に書類等被ファイリング材２に固定され、より安定して保持される。
【００３３】
しかも、当該ファイル部材１は、書類等被ファイリング材２のコーナー部２ａに嵌装され、同書類等被ファイリング材２のコーナー部２ａの表裏両面を挟む相互に連続した表裏一対の帯状のカバー部材１Ａ，１Ｂよりなるだけのものであることから、材料費はもちろん、製造に要するコストも極めて安価であり、量産も容易である。
【００３４】
また、以上のような構成の場合、表面が汚れても裏返すと、再び美しくなるので、再度利用することができる。したがって、社内回覧などでの利用にも適している。
【００３５】
なお、上記ファイル部材１は、種々の材質のもので形成することができるが、例えば硬質の紙材、ポリエチレン、ポリプロピレンなどの合成樹脂材で形成すると、安価で、製造も容易である。
【００３６】
また、種々のカラー設定も可能で、特に合成樹脂製の場合、透明体とすることもできる。
【００３７】
さらに、表面側帯状のカバー部材１Ａの上面に届先への「挨拶状」等の文面、裏面側帯状のカバー部材１Ｂの下面に送付元の社名、所在地、電話番号等の印刷をすることも可能であり、それらによって、単なるファイル部材としての機能に留まらず、従来の封筒に代るファイル部材としての機能をも発揮するようになる。
【００３８】
また、上記の説明では、左右両端側の折り目Ｃを１本として、比較的厚さの薄い被ファイリング材２に対応するものとしたが、上記各帯状のカバー部材１Ａ，１Ｂ両端Ｌ，Ｒの連結部をファイルすべき被ファイリング材２の厚さに合わせて、図４のように所定の幅Ｔで２本の折り目Ｃ１，Ｃ２を形成するようにすれば、被ファイリング材２の厚さが厚くても確実に安定した状態に保持することができるようになる。
【００３９】
さらに、上述の被ファイリング材２としては、通常のＡ４，Ｂ５サイズの文書の外に、例えば各種見積書、製品資料、カタログ等も対象となる。
【００４０】
また、取引先等外部に回す書類だけでなく、社内の回覧物にも有効に利用することができる。
【００４１】
さらに、また上記ファイル部材は、クリアファイルや封筒の代りというだけでなく、デザインを良くすることにより、またメッセージ伝達機能を付加することにより、封筒やクリアファイル自体に嵌装するリボン、またはメッセージ用具として活用することもできる。
【００４２】
（第２の実施の形態）
次に図５〜図７は、本願発明の第２の実施の形態に係るファイル部材の構成を示している。
【００４３】
この実施の形態のファイル部材は、上記図１〜図４の第１の実施の形態のファイル部材の構成における表裏一対の帯状のカバー部材１Ａ，１Ｂの幅Ｗ１，Ｗ２の何れか一方の幅を全体に亘って、または部分的に他方のものと異なるようにすることによって、書類等の被ファイリング材２に嵌装する時に、ファイル部材１の帯状のカバー部材１Ａ，１Ｂ間を開きやすくしたものである。
【００４４】
（１）  第１のタイプ
先ず図５は、上記図１〜図４の第１の実施の形態のファイル部材の構成における表裏一対の帯状のカバー部材１Ａ，１Ｂの幅Ｗ１，Ｗ２の何れか一方の幅を全体に亘って、他方のものと異なるようにすることによって、書類等の被ファイリング材２に嵌装する時に、ファイル部材１の帯状のカバー部材１Ａ，１Ｂ間を開きやすくしたものである。
【００４５】
（２）  第２のタイプ
次に図６，図７は、上記図１〜図４の第１の実施の形態のファイル部材の構成における表裏一対の帯状のカバー部材１Ａ，１Ｂの幅Ｗ１，Ｗ２の何れか一方の幅を部分的に他方のものと異なるようにすることによって、書類等の被ファイリング材２に嵌装する時に、ファイル部材１の帯状のカバー部材１Ａ，１Ｂ間を開きやすくしたものである。
【００４６】
この場合において、先ず図６のものは、何れか一方側の帯状のカバー部材、例えば１Ｂ側に部分的な突片２ｂを形成したもの、また図７のものは、例えば１Ｂ側に部分的な凹部（切り欠き部）２ｃを形成したものである。
【００４７】
（第３の実施の形態）
次に図８は、本願発明の第３の実施の形態に係るファイル部材の構成を示している。
【００４８】
この実施の形態のファイル部材は、上記図１〜図４、図５〜図７の第１，第２の実施の形態のファイル部材の構成における表裏一対の帯状のカバー部材１Ａ，１Ｂの両端Ｌ，Ｒ部分の内側に、図８に示すような折り目部から他端側に延びる舌部状の（所定長さの）中間部材３，３を設けたものである。
【００４９】
このような構成によると書類等被ファイリング材２に嵌装された時に、上記舌部状の中間部材３が、書類等被ファイリング材２の中間に挟み込まれて上下両面側から挟圧されることになる。
【００５０】
したがって、図１のように嵌装されたファイル部材１が嵌装後安定した状態に保持され、容易には抜け難くなる。
【００５１】
（第４の実施の形態）
次に図９〜図１１は、本願発明の第４の実施の形態に係るファイル部材の構成を示している。
【００５２】
この実施の形態では、上述した図１〜図４の第１の実施の形態、図５〜図７の第２の実施の形態、図８の第３の実施の形態各々の構成において、さらに表面側帯状のカバー部材１Ａ部分に、名刺係止部（名刺ホルダー部）を設けたものである。
【００５３】
（１）  第１のタイプ
先ず図９に示すものは、図示のように、上述した表面側帯状のカバー部材１Ａ中央の対角位置に、名刺Ｎの上下幅、対角長に対応して、その左上端、右下端各角部を挿入できる切り込み４ａ，４ｂを形成し、名刺Ｎを書類等被ファイリング材２の左右方向に水平に係止できるようにしたものである。
【００５４】
このようにすると、名刺Ｎを添付した状態で、書類等をファイルし、取引先等に届けることができるようになり、さらに高機能なファイリング部材となる。
【００５５】
また、この場合において、表面側帯状のカバー部材１Ａにおける名刺Ｎの下方面部分に、「御礼」、「感謝」、「真心」などの美しい書体の「文字」、心のこもった「メッセージ」などを入れて置くと、受け取り先の担当者が名刺Ｎを取り外した時に、同文字やメッセージに心を打たれることになり、非常に印象の良いものとなる。
【００５６】
（２）  第２のタイプ
次に図１０のものは、上記第１のタイプのものと同様の名刺対角方向の切り込み４ａ，４ｂを、名刺Ｎが帯状のカバー部材１Ａに沿った斜め方向に係止されるように設けたものである。
【００５７】
この場合の切り込みは、図示４ａ，４ｂ位置のみに限らず、仮想線で示す４ｃ，４ｄ位置であってもかまわない。
【００５８】
（３）  第３のタイプ
さらに図１１のものは、上記第１，第２のタイプのように名刺を係止するに際し、単なる直線的な切り込みに変えて、例えば半円形の切り込み４ａ，４ｂ、４ｃ，４ｄとし、円弧状の押え片５ａ，５ｂで挟んで保持できるようにしたものである。
【００５９】
このような構成によると、名刺の保持状態にエレガントさが生じ、一段と受け取り側の印象が良くなる。
【００６０】
また、単なる直線的な切り込みの場合に比べて、名刺Ｎを係止するのも容易になる。
【００６１】
（第５の実施の形態）
以上の第１〜第４の実施の形態では、それらの何れにあっても、ファイル部の表側カバー部材、裏側カバー部材共に帯状のカバー部材１Ａ，１Ｂで構成した。
【００６２】
しかし、これらは、必ずしも帯状でなければならないものではなく、例えば図１２に示すような、コーナー部が開放されていない三角形状の袋状片１Ａ′，１Ｂ′構造のものであっても良い。
【００６３】
このような三角形状の袋状片１Ａ′，１Ｂ′に、上述した図５〜図７、図８、図９〜図１１と同様の構成を採用すると、全く同様の作用効果を得ることができる。
【符号の説明】
【００６４】
１はファイル部材、１Ａは表側帯状のカバー部材、１Ｂは裏側帯状のカバー部材、２は書類等被ファイリング材、２ａコーナー部、３は中間部材、４ａ，４ｂは切り込み、５ａ，５ｂは押え片である。
【図１】
2012171156.tif 000003
【図２】
2012171156.tif 000004
【図３】
2012171156.tif 000005
【図４】
2012171156.tif 000006
【図５】
2012171156.tif 000007
【図６】
2012171156.tif 000008
【図７】
2012171156.tif 000009
【図８】
2012171156.tif 000010
【図９】
2012171156.tif 000011
【図１０】
2012171156.tif 000012
【図１１】
2012171156.tif 000013
【図１２】
2012171156.tif 000014